(57)【要約】      （修正有）【課題】演奏楽曲の歌唱区間の歌い出しの遅れを報知するシステムに関し、カラオケ歌唱の雰囲気を壊すことなく、また、歌唱者に対して必要以外に違和感を与えることなく速やかに歌い出しを報知可能とする。【解決手段】報知制御手段が、歌唱区間データに基づく演奏楽曲の歌唱区間開始時から予め設定された音声検知設定時間内に音声入力検知手段が歌唱音声信号を検知しない場合に、マイクに設けられている報知手段に対して報知制御信号を送出して歌い出し遅れを歌唱者に報知させる構成とする。【選択図】図２
2010175951.tif 000002
【特許請求の範囲】
【請求項１】
マイクに歌い出し遅れを歌唱者に報知する報知手段が設けられ、歌唱区間データが付帯された楽曲を格納するカラオケシステムであって、
音声入力検知手段及び報知制御手段を有し、  
前記音声入力検知手段は、前記マイクに入力された歌唱音声信号を検知し、
前記報知制御手段は、前記歌唱区間データに基づき、歌唱区間開始から予め設定された音声検知設定時間内で前記音声入力検知手段が歌唱音声信号を検知しない場合に、前記マイクに設けられている報知手段に対して報知制御信号を送出して報知させる、
ことを特徴とする歌い出し遅れ報知機能を備えるカラオケシステム。
【請求項２】
請求項１記載の歌い出し遅れ報知機能を備えるカラオケシステムであって、前記報知制御手段は、前記報知後に、前記音声入力検知手段による歌唱音声信号の検知をした場合には前記当該報知制御信号の送出を停止させて報知制御処理を終了することを特徴とする歌い出し遅れ報知機能を備えるカラオケシステム。
【請求項３】
請求項１又は２記載の歌い出し遅れ報知機能を備えるカラオケシステムであって、前記マイクが複数備えられ、演奏楽曲が複数の歌唱パートで構成されている場合に、各歌唱パートに当該マイクを対応付けて当該各マイクを前記報知制御の対象とさせるマイク対応付手段を備えることを特徴とする歌い出し遅れ報知機能を備えるカラオケシステム。
【発明の詳細な説明】
【技術分野】
【０００１】
本発明は、カラオケシステムの技術分野に属し、演奏楽曲の歌唱区間の歌い出しの遅れを報知するシステムに関する。
【背景技術】
【０００２】
近年、カラオケシステムにおいては、ディスプレイ上に歌詞テロップを表示し、演奏に沿って歌詞の色を変化させることでどの歌詞が歌唱対象であるかを示して利用者の便に供している。このような場合であっても必要以外に歌唱者に違和感を与えることなく歌い出し遅れを報知することも利用者へのサービス向上にもつながる。
【０００３】
一般に、歌唱者がカラオケ楽曲を歌唱する際、歌唱者はディスプレイ上に表示された演奏楽曲の歌詞を見ながら歌唱するが、演奏楽曲中の前奏や間奏では伴奏のみで歌う必要がないときにはディスプレイへの関心が薄れる。特に多数の同伴者がいる場合や飲酒している場合などには注意力が散漫になる傾向があり、歌唱区間での歌い出しが遅れる場合がある。
【０００４】
従来、歌い出しのタイミングを報知する種々の技術が提案されている。たとえば、楽譜情報に付加されたタイミング制御信号によって歌詞の前方部に設けた複数のマークに変化を与え、曲の進行を表示するものが提案されている（特許文献１）。
【０００５】
また、任意の歌唱パートの歌い出しをすべき時点から遡って所定の時間に到達したときにマイクに組み込まれたバイブレータに振動指示を与え、この振動によって歌唱者に歌唱指示を与えることも提案されている（特許文献２）。
【先行技術文献】
【特許文献】
【０００６】
【特許文献１】実開平０１−０７２７８４号公報
【特許文献２】特開２００５−１３４５９８号広報
【発明の概要】
【発明が解決しようとする課題】
【０００７】
しかしながら、上記特許文献１の技術は、歌唱者がディスプレイに対してある程度関心がある場合には有効であるが、歌唱者の注意力が散漫になってディスプレイへの関心が薄れた場合には効果が低くなり、また、ディスプレイ上での表示では本来の歌詞以外に付加的な警告表示がなされることとなることから画面上が煩雑となって雰囲気が壊れる可能性もある。
【０００８】
また、上記特許文献２では、歌い出し忘れの防止には役立つものの、歌唱者が歌い出しを認識して準備している場合であっても、歌い出す直前でマイクが必ず振動することとなり、歌唱者に違和感を与えてしまうこととなる。
【０００９】
そこで、本発明は上記課題に鑑みなされたもので、カラオケ歌唱の雰囲気を壊すことなく、また、歌唱者に対して必要以外に違和感を与えることなく速やかに歌い出しを報知可能とするカラオケシステムを提供することを目的とする。
【課題を解決するための手段】
【００１０】
上記課題を解決するために、請求項１の発明では、マイクに歌い出し遅れを歌唱者に報知する報知手段が設けられ、歌唱区間データが付帯された楽曲を格納するカラオケシステムであって、音声入力検知手段及び報知制御手段を有し、前記音声入力検知手段は、前記マイクに入力された歌唱音声信号を検知し、前記報知制御手段は、前記歌唱区間データに基づき、歌唱区間開始から予め設定された音声検知設定時間内で前記音声入力検知手段が歌唱音声信号を検知しない場合に、前記マイクに設けられている報知手段に対して報知制御信号を送出して報知させる、構成とする。
【００１１】
請求項２，３の発明では、「前記報知制御手段は、前記報知後に、前記音声入力検知手段による歌唱音声信号の検知をした場合には前記当該報知制御信号の送出を停止させて報知制御処理を終了する」構成であり、
「前記マイクが複数備えられ、演奏楽曲が複数の歌唱パートで構成されている場合に、各歌唱パートに当該マイクを対応付けて当該各マイクを前記報知制御の対象とさせるマイク対応付手段を備える」構成である。
【発明の効果】
【００１２】
請求項１の発明によれば、演奏楽曲の歌唱区間開始時から予め設定された音声検知設定時間内に音声入力検知手段が歌唱音声信号を検知しない場合に、マイクに設けられている報知手段に対して報知制御信号を送出して報知させる構成とすることにより、ディスプレイ上に何ら表示をせずに歌唱者に歌い出し遅れを報知させることができ、音声検知設定時間内に歌唱音声が入力されなかった場合にのみ報知されることから、好適に歌い出し遅れを報知することができ、さらに、上記先行技術では、歌い出しが遅れなくとも振動や発光などを利用した報知手段が歌唱者に違和感を与えていたが、本発明では歌い出しを遅れなかった場合には何ら報知されないことから、歌唱者に違和感を与えることなく普通に歌唱させることができるものである。
【００１３】
請求項２の発明によれば、報知後に歌唱音声信号の検知をした場合には当該報知制御信号の送出を停止させて報知制御処理を終了させることにより、歌い出し遅れの報知がなされた場合であっても、その後の歌唱音声入力で速やかに報知が停止され、不必要な報知は行わないため、歌唱者には報知による違和感を最小限に抑えることができるものである。
【００１４】
請求項３の発明によれば、マイクが複数備えられ、演奏楽曲が複数の歌唱パートで構成されている場合に、各歌唱パートに当該マイクを対応付けて当該各マイクを報知制御の対象とさせることにより、複数の歌唱パートで構成されているデュエット楽曲やハモリ部を含む楽曲などについても適用させることができるものである。
【図面の簡単な説明】
【００１５】
【図１】本発明に係るカラオケシステムにおける第１実施形態のブロック構成図である。
【図２】本発明の報知制御処理のフローチャートである。
【図３】図２の演奏楽曲に対する報知形態の説明図である。
【図４】他の実施形態の報知制御処理のフローチャートである。
【図５】図４の報知形態の説明図である。
【図６】本発明に係るカラオケシステムにおける第２実施形態の一部ブロック構成図である。
【図７】図６の報知形態の説明図である。
【発明を実施するための形態】
【００１６】
以下、本発明の実施形態を図により説明する。
図１に、本発明に係るカラオケシステムにおける第１実施形態のブロック構成図を示す。図１において、カラオケ演奏システム１１は、主要装置としてのカラオケ本体１２に有線又は無線で接続されるものとして、表示部１３、ミキシングアンプ１４及び送信部１５を備える。上記ミキシングアンプ１４にはスピーカ１６及びマイク１７が接続され、当該マイク１７は後述の音声入力検知手段（２８）に接続される。
【００１７】
上記表示部１３は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる演奏データとマイク１７からの音声信号をミキシングし、増幅してスピーカ１６より出力する。
【００１８】
ここで、マイク１７は、一般の基本的機能（無線方式を含む）の他に、報知手段の一形態としての振動部１８が設けられる。振動部１８は、上記送信部１５より例えば赤外線による報知制御信号を受信する図示しない受信部を備えると共に、例えば前述の特許文献２に開示されているモータ駆動制御部を付帯した振動発生手段を適用することができる。
【００１９】
上記カラオケ本体１２は、バス２１、中央制御部２２、ＲＯＭ２３、ＲＡＭ２４、記憶部２５、映像再生制御部２６、音楽演奏制御部２７、音声入力検知手段２８及び報知制御手段２９を適宜備える。また、上記記憶部２５には楽曲ＤＢ３０が記憶されると共に、音声検知設定時間データ３１が記憶される。なお、図示しないが、カラオケ本体１２には楽曲を選曲するための機能を備えたリモコン装置が有線又は無線で接続される。上記各構成について、本発明の要旨と直接関連しない要素部分であっても、従前のカラオケ装置においても大部分が適用可能であることを示すために、装置全体を説明する。
【００２０】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、予約待ち行列などの記憶領域が形成されると共に、種々のプログラムを展開、実行させるための作業領域としての役割をなすもので、例えば半導体メモリで構成され、仮想的にハードディスク上に構築される場合をも含む概念である。
【００２１】
上記記憶部２５に記憶されている楽曲ＤＢ３０は、楽曲毎に、演奏データ、映像データ及び歌詞データ（歌詞テロップデータ）を格納するデータベースである。演奏データには、例えば、ソフトプログラムにより作成された音符データやＭＩＤＩ（登録商標）形式等の音符データ、実演奏のＰＣＭデータ（圧縮データも含む）などがある。
【００２２】
上記ＭＩＤＩ形式を例に、具体的には、楽曲ＩＤ、曲名及びアーチストＩＤ（アーチスト名）が関連付けられた楽曲テーブルを有し、楽曲毎に、楽曲ＩＤで管理されるカラオケ楽曲の音符データ、映像データ及び歌詞データが同一のタイムテーブルにより同期される構成の楽曲データについて楽曲ＩＤをファイル名としてそれぞれ格納され、楽曲毎の背景映像を表示するための映像データ中の所定数のシーン映像を割り当てる割当データが関連付けられたものである。
【００２３】
また、上記データの他に、歌詞テロップを演奏に合わせて色変わりさせる歌詞色変わりデータ、ガイドボーカルを出力するためのガイドデータ、歌唱採点機能を備えたものであれば歌唱区間に対応する主旋律データが適宜含まれ、これらも上記同一のタイムテーブルにより同期される。上記歌詞データ、歌詞色変わりデータ、ガイドデータ又は主旋律データの動作タイミングが演奏に際しての歌唱区間を特定する歌唱区間データ（歌唱区間開始タイミングデータ）とさせることができる。また、歌唱区間データとして、演奏データ中に歌唱区間を特定する信号データを別個に付加させることとしてもよい。
【００２４】
上記記憶部２５に記憶される音声検知設定時間データ３１は、歌い出し遅れを認識する時間として予め設定されるもので、適宜変更自在のものである。この音声検知設定時間データ３１は、後述の報知制御手段２９により読み出されるもので、報知制御手段２９において例えばクロックパルス（別個に付加するタイマーであってもよい）に基づいて当該音声検知設定時間まで時間計測（カウント）される。
【００２５】
上記映像再生制御部２６は、演奏時に、楽曲ＤＢ３０より抽出された所定数のシーン映像データ及び楽曲コードで歌詞テロップデータ（歌詞文字データ）を当該楽曲の音符データ（タイムテーブルデータ）に同期させて表示部１３に出力する電子回路である。上記音楽演奏制御部２７は、楽曲コードで楽曲ＤＢ３０より抽出された音符データをデジタル再生し、アナログ変換してミキシングアンプ１４に出力する電子回路である。
上記音声入力検知手段２８は、上記マイク１７に入力された歌唱音声信号を入力することで歌唱されていることを検知するプログラムである。
【００２６】
そして、上記報知制御手段２９は、上記音声入力検知手段２８が歌唱区間開始から時間計測に基づく音声検知設定時間内で歌唱音声信号を検知したか否かに基づき、検知していない場合に、マイク１７に設けられている振動部１８に対して送信部１５を介して報知制御信号を出力して報知させるプログラムである。なお、音声入力検知手段２８による音声検知形態における歌唱音声が入力されていないことの検知を、当該音声検知設定時間の全範囲でのものとしてもよく、当該音声検知設定時間内のスポット時点でのものとしてもよい。報知形態（振動形態）は、連続、断続を問わない。
【００２７】
また、当該報知制御手段２９は、報知制御信号を出力して報知させた後に、上記音声入力検知手段２８による歌唱音声入力が検知された場合には当該報知制御信号の送出を停止させて報知制御処理を終了する。
【００２８】
そこで、図２に本発明の報知制御処理のフローチャートを示すとともに、図３に図２の演奏楽曲に対する報知形態の説明図を示す。楽曲は、図３に示すように、前奏部、歌唱区間、間奏部、歌唱区間、間奏部、歌唱区間及び後奏部に分かれているものとして、演奏に際して歌唱区間毎に報知制御処理が行われる場合として説明する。
【００２９】
図２において、任意の楽曲が演奏されて上記歌唱区間データに基づいて歌唱区間が開始されると（ステップ（Ｓ）１）、当該歌唱区間開始タイミングで、音声入力検知手段２８が、マイク１７からの歌唱音声信号を検知した場合には当該報知制御手段２９において当該歌唱区間に対しての報知制御処理を終了させ（Ｓ２）、当該音声入力検知手段２８が歌唱音声信号を検知していない場合に当該歌唱区間開始タイミングで時間計測が開始される（Ｓ３、図３）。
【００３０】
報知制御手段２９では、時間計測に基づいて、記憶部２５に記憶されている音声検知設定時間データ３１より読み出した音声検知設定時間（例えば、１秒）内に、音声入力検知手段２８が歌唱音声信号を検知した場合には歌い出しが行われたものとして報知制御処理を終了する（Ｓ４）。当該音声検知設定時間内に歌唱音声信号を検知しなかった場合には（Ｓ５）、報知制御信号を出力し、送信部１５を介してマイク１７に送信する（Ｓ６）。マイク１７では、振動部１８が報知制御信号を受信したときに振動し、報知状態とされるものである（図３）。
【００３１】
次に、図４に他の実施形態の報知制御処理のフローチャートを示すとともに、図５に図４の報知形態の説明図を示す。ここで、上記報知制御手段２９には、予め報知終了時間（例えば、３０秒）が設定される。
【００３２】
図４及び図５において、演奏が歌唱区間に入り、音声検知設定時間内に歌い出しが行われずに報知制御信号が出力されてマイク１７を振動させた後（Ｓ１１）、時間計測され（Ｓ１２）、設定された報知終了時間内に音声入力検知手段２８が歌唱音声信号を検知した場合には（Ｓ１３）、歌い出しが行われたものとして報知制御信号の送出を停止して報知制御処理を終了する（Ｓ１４）。また、当該報知終了時間内に歌唱音声信号を検知しない場合には（Ｓ１２、Ｓ１３）、当該報知終了時間が経過した後に報知制御処理を終了するものである（Ｓ１４、図５）。
【００３３】
このように、マイク１７を振動させることから表示部１３上に何ら表示をせずに歌唱者に歌い出し遅れを報知させることができるものである。また、音声検知設定時間内に歌唱音声が入力されなかった場合にのみ報知されることから、好適に歌い出し遅れを報知することができるものである。さらに、上記先行技術では、歌い出しが遅れなくとも振動や発光などを利用した報知手段が歌唱者に違和感を与えていたが、本発明では歌い出しを遅れなかった場合には何ら報知されないことから、歌唱者に違和感を与えることなく普通に歌唱させることができるものである。
【００３４】
また、報知後に歌唱音声入力の検知をした場合には当該報知制御信号の送出を停止させて報知制御処理を終了させることから、歌い出し遅れの報知がなされた場合であっても、その後の歌唱音声入力で速やかに報知が停止され、不必要な報知が行われないため、歌唱者には報知による違和感を最小限に抑えることができるものである。
【００３５】
次に、図６に本発明に係るカラオケシステムにおける第２実施形態の一部ブロック構成図を示すと共に、図７に図６の報知形態の説明図を示す。この実施形態は、マイクを複数（本実施形態では２本）備え、複数の歌唱パート（例えばデュエットとして２つの歌唱パート１，２）で構成されている楽曲に対応させたものである。
【００３６】
すなわち、図６において、マイク１７−１（マイク１）及びマイク１７−２（マイク２）が備えられ、こられは同様にそれぞれ振動部１８−１，１８−２を備える。これに応じて対応した音声入力検知手段２８，４１、が備えられると共に、マイク対応付手段４２が備えられる。また、記憶部２５には、歌唱パートとマイクを対応付けたマイク対応付情報４３が記憶される。
【００３７】
マイク対応付手段４２は、図７に示すように、楽曲が歌唱パート１と歌唱パート２とにより構成されている場合に、例えば、予めマイク１（１６−１）を歌唱パート１に対応付け、マイク２（１６−２）を歌唱パート２に対応付けて記憶部２５のマイク対応付情報４３に記憶しておくものである。なお、マイク１，２の対応付けとして、歌唱パート１，２のうち、最初に歌唱区間があるパートに、最初に歌唱音声が入力されたマイクを当該歌唱パートに自動的に割り付けて記憶部２５のマイク対応付情報４３に記憶するものでもよく、また歌唱の途中で入れ替わった場合にも歌唱されている歌唱パートに自動的に割り付け変更して記憶部２５のマイク対応付情報４３に記憶するものであってもよい。
【００３８】
すなわち、図７に示すように、歌唱パート１の歌唱区間が開始され、マイク１（１６−１）からの歌唱音声信号を音声検知設定時間内に、音声入力検知手段２８が検知しない場合には、報知制御手段２９がマイク対応付情報４３より対応のマイク１を特定し、報知制御信号を出力し、当該マイク１（１７−１）に対して送信部１５を介して所定の通信周波数で送信することで振動部１８−１により振動させて報知状態とさせる。
【００３９】
また、歌唱パート２の歌唱区間が開始された場合には、マイク２（１７−２）からの歌唱音声信号を音声検知設定時間内に、音声入力検知手段４１が検知しない場合には、報知制御手段２９がマイク対応付情報４３より対応のマイク２を特定し、報知制御信号を出力し、当該マイク２（１７−２）に対して送信部１５を介して上記通信周波数と異なる周波数で送信することで振動部１８−２により振動させて報知状態とさせるものである。報知時間については、上記図４及び図５を適用することができる。
【００４０】
なお、マイクの対応付けが上記のように自動であるときに、最初に歌唱すべき歌唱パートの歌唱区間で歌い出し遅れが生じた場合には両方のマイク１，２に報知制御信号を出力させ、担当する歌唱者が歌い出したときに所持するマイクを当該歌唱パートして割り付ければよい。
【００４１】
このように、演奏楽曲が２つの歌唱パート（３つ以上の歌唱パートでもよい）で構成されている場合に、各歌唱パートに２つのマイク（３つ以上のマイクでもよい）を対応付けて当該各マイクを報知制御の対象とさせることから、複数の歌唱パートで構成されているデュエット楽曲やハモリ部を含む楽曲などについても適用させることができるものである。
【００４２】
ところで、上記実施形態では、報知の形態を振動として説明したが、これに限らず、例えばマイク１７にＬＥＤのような発光手段を設けて発光させてもよく、マイク内にエア噴射手段を設けてエアを吹き付ける形態としてもよい。
【産業上の利用可能性】
【００４３】
本発明の歌い出し遅れ報知機能を備えるカラオケシステムは、カラオケの基本的機能を備えるカラオケ機器製造の分野に利用可能である。
【符号の説明】
【００４４】
１１            カラオケシステム
１２            カラオケ本体
１４            ミキシングアンプ
１７            マイク
１８            振動部
２８，４１      音声入力検知手段
２９            報知制御手段
４２            マイク対応付手段
【図１】
2010175951.tif 000003
【図２】
2010175951.tif 000004
【図３】
2010175951.tif 000005
【図４】
2010175951.tif 000006
【図５】
2010175951.tif 000007
【図６】
2010175951.tif 000008
【図７】
2010175951.tif 000009